(57)【要約】【課題】撮像部を備えた携帯電話機において、撮影機能を改良したりユーザの要求に応じて変更することを可能にして、ユーザの満足度の向上を図ることである。【解決手段】情報授受システム１００において、携帯電話機１のＣＰＵ１１は、無線通信部１４により情報提供装置３から撮影制御プログラムのデータを受信して、記憶部１５に記憶させる。また、ＣＰＵ１１は、メイン画面で「カメラ」ボタン４４が押下され、入力部１２のシャッタキーが押下されると、記憶部１５から撮影制御プログラムを読み出して撮影部１７を制御し、被写体を撮影させる。また、情報提供装置３のＣＰＵ３１は、携帯電話機１により要求された撮影制御プログラムを記憶部３５から読み出して、通信制御部３６により携帯電話機１に送信する。【選択図】　　　図１
2004147076.tif 000002
【特許請求の範囲】
【請求項１】
被写体を撮像する撮像部を有する携帯電話機において、
通信ネットワークを介して接続された情報提供装置に撮像制御プログラムを要求する要求データを送信する送信部と、
前記要求データにより要求した撮像制御プログラムを前記情報提供装置から受信する受信部と、
前記受信部により受信した撮像制御プログラムを記憶する記憶部と、
前記記憶部に記憶された撮像制御プログラムを利用して前記撮像部を制御する制御部と、
を備えることを特徴とする携帯電話機。
【請求項２】
被写体を撮像する撮像部を有する携帯電話機と情報提供装置とが通信ネットワークを介して接続された情報授受システムにおいて、
前記携帯電話機は、
前記情報提供装置に撮像制御プログラムを要求する要求データを送信する送信部と、
前記要求データにより要求した撮像制御プログラムを前記情報提供装置から受信する受信部と、
前記受信部により受信した撮像制御プログラムを記憶する記憶部と、
前記記憶部に記憶された撮像制御プログラムを利用して前記撮像部を制御する制御部と、
を備え、
前記情報提供装置は、
撮像制御プログラムを記憶するプログラム記憶部と、
前記携帯電話機から前記要求データを受信する要求データ受信部と、
前記要求データにより要求された撮影制御プログラムを前記プログラム記憶部から読み出す読出部と、
前記読出部により読み出されたプログラムを前記携帯電話機に送信するプログラム送信部と、
を備えることを特徴とする情報授受システム。
【発明の詳細な説明】
【０００１】
【発明の属する技術分野】
本発明は、携帯電話機及び情報授受システムに関する。
【０００２】
【従来の技術】
近年、携帯電話やＰＨＳ（Ｐｅｒｓｏｎａｌ　Ｈａｎｄｙｐｈｏｎｅ　Ｓｙｓｔｅｍ）等の通信端末機（以下、統括して「携帯電話機」と称す。）の普及が著しく、多機能化及び情報提供サービスの多様化が進んでいる。携帯電話機は、通話やメールの送受信等のコミュニケーション上の用途以外に、楽曲の視聴、画像の閲覧、ゲーム、付属の撮像装置による撮像といった娯楽上の用途に使用される機会が増加している。
【０００３】
一方、近年ではデジタルカメラの普及も顕著であり、携帯電話機と同様にユーザに提供されるサービスの多様化が求められている。このような要求に答えるため、例えば、フラッシュメモリを内蔵するマイコンを搭載したカメラにおいて、フラッシュメモリに記録されたプログラムを書換可能とするメモリ改変システムが発明されている（例えば、特許文献１参照）。このメモリ改変システムによれば、カメラの制御プログラムを変更して各種機能の改良あるいは拡張性を持たせることができる。
【０００４】
【特許文献１】
特開平１１−１７５３３０号公報（第４−８頁、第２図）
【０００５】
【発明が解決しようとする課題】
しかしながら、カメラを備えた従来の携帯電話機においては、撮像用の制御プログラムを自由に変更することができなかった。このため、携帯電話機に搭載されたカメラの撮像機能を改良したりユーザの要求に応じた撮像機能を実現することができなかった。
【０００６】
本発明の課題は、撮影機能を改良したり、ユーザの要求に応じて変更することが可能な撮像部を備えた携帯電話機を提供することにある。
【０００７】
【課題を解決するための手段】
本発明は、上記課題を解決する為、以下のような特徴を備えている。
【０００８】
請求項１記載の発明は、
被写体を撮像する撮像部を有する携帯電話機において、
通信ネットワークを介して接続された情報提供装置に撮像制御プログラムを要求する要求データを送信する送信部と、
前記要求データにより要求した撮像制御プログラムを前記情報提供装置から受信する受信部と、
前記受信部により受信した撮像制御プログラムを記憶する記憶部と、
前記記憶部に記憶された撮像制御プログラムを利用して前記撮像部を制御する制御部と、
を備えることを特徴としている。
【０００９】
請求項２記載の発明は、
被写体を撮像する撮像部を有する携帯電話機と情報提供装置とが通信ネットワークを介して接続された情報授受システムにおいて、
前記携帯電話機は、
前記情報提供装置に撮像制御プログラムを要求する要求データを送信する送信部と、
前記要求データにより要求した撮像制御プログラムを前記情報提供装置から受信する受信部と、
前記受信部により受信した撮像制御プログラムを記憶する記憶部と、
前記記憶部に記憶された撮像制御プログラムを利用して前記撮像部を制御する制御部と、
を備え、
前記情報提供装置は、
撮像制御プログラムを記憶するプログラム記憶部と、
前記携帯電話機から前記要求データを受信する要求データ受信部と、
前記要求データにより要求された撮影制御プログラムを前記プログラム記憶部から読み出す読出部と、
前記読出部により読み出されたプログラムを前記携帯電話機に送信するプログラム送信部と、
を備えることを特徴としている。
【００１０】
請求項１又は２記載の発明によれば、撮像部を備えた携帯電話機において、撮像機能を改良したりユーザの要求に応じて変更することが可能となる。
【００１１】
【発明の実施の形態】
以下、図を参照して本発明に係る実施の形態を詳細に説明する。
【００１２】
＜情報授受システム１００の構成＞
図１は、本実施の形態における情報授受システム１００の全体構成を示す図である。図１に示すように、情報授受システム１００は、携帯電話機１と情報提供装置３が通信ネットワークＮを介して相互にデータの送受信が可能なように接続されている。また、図１に示すように、携帯電話機１と通信ネットサークＮの間には無線基地局２が介在する。
【００１３】
なお、図１においては、携帯電話機１、無線基地局２、情報提供装置３が各々１つずつ接続された例が示されているが、各装置、端末、及び基地局の数は特に限定されない。
【００１４】
携帯電話機１は、撮像機能付き携帯電話機であり、無線基地局２及び通信ネットサークＮを介して情報提供装置３に接続される。携帯電話機１は、情報提供装置３に撮影制御プログラムのダウンロードを要求するデータ（以下、ダウンロード要求データという。）を送信し、要求したプログラムを情報提供装置１から受信する。
【００１５】
ここで、本実施の形態において、撮影制御プログラムとは、携帯電話機に付属の撮影部の動作を制御するためのプログラムであり、例えば、オートフォーカス制御、シャッタースピード制御、感度自動設定制御等を実現するプログラムが含まれる。
【００１６】
無線基地局２は、移動体通信網等の通信ネットサークＮに接続され、無線基地局２が管理するエリア内にある携帯電話機１と、通信ネットサークＮに接続された情報提供装置３との間のデータの送受信を行う。
【００１７】
情報提供装置３は、情報をダウンロードするサービスを実施する企業が運営するサーバであり、撮影制御プログラムダウンロードサイトを開設する。情報提供装置３は、通信ネットサークＮを介して携帯電話機１に接続される。情報提供装置３は、複数種類の撮影制御プログラムを記憶しており、携帯電話機１から要求データを受信すると、受信した要求データにより要求された撮影制御プログラムを携帯電話機１に送信する。
【００１８】
通信ネットサークＮは、専用線や既存の一般公衆回線を利用して構築された通信ネットワークであり、ＬＡＮやＷＡＮ等の様々な回線形態を適用することが可能である。外部通信ネットサークＮには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。また、図１において、外部通信ネットサークＮと各装置、端末間の接続形態は、有線接続でも無線接続でもよい。但し、情報管理の信頼性の観点から、特定のユーザのみがアクセス可能なセキュリティを確保しているネットワークであることが望ましい。
【００１９】
＜携帯電話機１の構成＞
図２は、携帯電話機１の機能的構成を示すブロック図である。図２に示すように、携帯電話機１は、ＣＰＵ（Ｃｅｎｔｒａｌ　Ｐｒｏｃｅｓｓｉｎｇ　Ｕｎｉｔ）１１、入力部１２、表示部１３、アンテナ１４１を備える無線通信部１４、記憶部１５、送受話部１６、撮影部１７、Ｉ／Ｆ１８により構成され、各部は相互にデータの授受が可能なようにバス１９により接続されている。
【００２０】
ＣＰＵ１１は、入力部１２や無線通信部１４から入力されるデータに応じて、記憶装置１５に格納された携帯電話機用の各種処理プログラムに従って各種の制御動作を行う。すなわち、ＣＰＵ１１は、入力部１２を介して入力される指示に従って、記憶部１５から撮影制御プログラム取得処理プログラムと撮影部制御処理プログラムを読み出して、後述する撮影制御プログラム取得処理及び撮影部制御処理を実行する。
【００２１】
入力部１２は、テンキー、各種機能キー、画像の撮影時に使用するシャッタキー等を有し、そのキー操作による押下信号をＣＰＵ１１に出力する。
【００２２】
表示部１３は、ＬＣＤ（Ｌｉｑｕｉｄ　Ｃｒｙｓｔａｌ　Ｄｉｓｐｌａｙ）パネル等により構成され、ＣＰＵ１１から入力される表示データに基づいて画面表示を行う。表示部１３は、メイン画面（図４参照）、コンテンツ選択画面（図５参照）、プログラム選択画面（図６参照）、確認画面（図７参照）、別名保存画面（図８参照）等を表示する。
【００２３】
無線通信部１４は、アンテナ１４１を有しており、ＣＰＵ１１から入力される指示に従って、無線基地局２との間でＩＭＴ−２０００準拠の通信方式（例えば、Ｗ−ＣＤＭＡやｃｄｍａ２０００）に対応する携帯電話機用の通信プロトコルを実行し、この通信方式で設定される通信チャネルにより、送受話音声の送受信やデータ通信を実行する。
【００２４】
記憶部１５は、ＣＰＵ１１により実行される携帯電話機用の各種アプリケーションプログラム、撮影制御プログラム取得処理プログラム、撮影部制御処理プログラム、ＣＰＵ１１により各プログラムを使用して処理された処理結果のデータ等を記憶する。また、記憶部１５は、情報提供装置３により開設された撮影制御プログラムダウンロードサイトのＵＲＬのデータ、ＡＳＣＩＩコード等のフォントデータ、表示部１３における画面表示用のデータ等を格納している。
【００２５】
送受話部１６は、マイク、スピーカ、Ａ／Ｄ変換部、及びＤ／Ａ変換部（何れも図示省略）を有し、マイクから入力されるユーザの送話音声をＡ／Ｄ変換処理して、その送話音声データをＣＰＵ１１に出力するとともに、ＣＰＵ１１から入力される受話音声データや、着信音、操作確認音、シャッタ音等の音声データをＤ／Ａ変換処理して、スピーカから出力する。
【００２６】
撮影部１７は、ガラス又はプラスチックからなる光学レンズ、及びＣＣＤ（Ｃｈａｒｇｅ　Ｃｏｕｐｌｅｄ　Ｄｉｏｄｅ）やＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）等の撮像素子により構成され、光学レンズを介して入力される画像を撮像素子で電気信号に変換し、画像データを生成する。撮影部１７は、入力部１２のシャッタキーが押下されると、被写体の撮影を実行する。
【００２７】
Ｉ／Ｆ１８は、外部装置と接続するためのインターフェイスであり、携帯電話機１と外部装置との間でデータ転送速度の調整やデータ形式の変換を行い、これらの装置間のデータの授受を仲介する。
【００２８】
ここで、図４〜図８に示す画面表示例を参照して、ＣＰＵ１１と記憶部１５に記憶されたプログラムとの協働により実行される撮影制御プログラム取得処理及び撮影部制御処理について説明する。
【００２９】
ＣＰＵ１１は、携帯電話機１が起動されると、図４に示すメニュー画面を表示部１３に表示させる。図４に示すように、メニュー画面には、「電話」ボタン４１、「メール」ボタン４２、「ウェブ」ボタン４３、「カメラ」ボタン４４が設けられており、何れかのボタンが押下されると、タッチパネル１２ａから押下信号が入力され、ＣＰＵ１１は押下信号に従って電話機能、メールの送受信、ウェブ通信、撮影の各機能を実行するために必要な処理を行う。
【００３０】
ＣＰＵ１１は、撮影制御プログラム取得処理において、表示部１３に表示されたメイン画面（図４参照）において「ウェブ」ボタン４３が押下されると、コンテンツ選択画面（図５参照）を表示部１３に表示させる。図５に示すように、コンテンツ選択画面には、通信ネットサークＮ上で開設された多種多様なコンテンツの中の何れかを選択するための「メインメニュー」ボタン５１、撮影制御プログラムのダウンロードサービスを提供するサイトに接続するための「撮影制御プログラムをダウンロード」ボタン５２、壁紙のダウンロードサービスを提供するサイトに接続するための「壁紙をダウンロード」ボタン５３、着信音のダウンロードサービスを提供するサイトに接続するための「着信音をダウンロード」ボタン５４が設けられている。
【００３１】
ＣＰＵ１１は、コンテンツ選択画面において「撮影制御プログラムをダウンロード」ボタン５２が押下されると、記憶部１５に記憶された撮影制御プログラムダウンロードサイトのＵＲＬを読み出して無線通信部１４によりこのサイトに接続し、情報提供装置３からプログラム選択画面（図６参照）の表示用データを受信して表示部１３に画面表示させる。図６に示すように、プログラム選択画面には、情報提供装置３により提供される複数のプログラムのうち何れかを選択するためのプログラム選択欄６１と、「ダウンロード」ボタン６２とが設けられている。
【００３２】
ＣＰＵ１１は、プログラム選択画面において、「ダウンロード」ボタン６２が押下されると、プログラム選択欄６１で選択された撮影制御プログラムの名称のデータと、ダウンロード要求データを、無線通信部１４により情報提供装置３に送信する。
【００３３】
ＣＰＵ１１は、情報提供装置３から撮影制御プログラムのデータを受信すると、受信したプログラムと同じ名称のプログラムが記憶部１５に既存であるか否かを判別して、記憶部１５に既存でなければ受信したプログラムを記憶部１５に記憶させ、記憶部１５に既存の場合には表示部１３に確認画面（図７参照）を表示させる。
【００３４】
図７に示すように、確認画面には、ダウンロードした撮影制御プログラムにより記憶部１５に既存の同名称のプログラムを上書きするか否かを問うメッセージと、「上書き保存」ボタン７１と、「別名保存」ボタン７２とが設けられている。ＣＰＵ１１は、「上書き保存」ボタン７１が押下されると、ダウンロードした撮影制御プログラムによって記憶部１５に既存の同一名称のプログラムを上書き保存し、「別名保存」ボタン７２が押下されると、別名保存画面（図８参照）を表示部１３に表示させる。
【００３５】
図１３に示すように、別名保存画面には、ダウンロードした撮影制御プログラムに付加する名称を入力するためのプログラム名入力欄８１と、「保存」ボタン８２とが設けられている。ＣＰＵ１１は、「保存」ボタン８２が押下されると、ダウンロードしたプログラムをプログラム名入力欄８１に入力された名称で記憶部１５に別名保存する。そして、ＣＰＵ１１は、ダウンロードした撮影制御プログラムを記憶部１５に保存した後、表示部１３にメイン画面（図４参照）を表示させる。
【００３６】
ＣＰＵ１１は、撮影部制御処理において、表示部１３に表示させたメイン画面（図４参照）で「カメラ」ボタン４４が押下された後、入力部１２のシャッタキーが押下されると、記憶部１５に記憶された撮影制御プログラムを読み出し、このプログラムを利用して撮影部１７を制御して被写体を撮影させる。
【００３７】
なお、ＣＰＵ１１が撮影部１７の動作を制御する際に、単一の撮影制御プログラムを使用することとしてもよいし、複数のプログラムを組み合わせて使用してもよい。
【００３８】
＜情報提供装置３の構成＞
図３は、情報提供装置３の機能的構成を示すブロック図である。図３に示すように、情報提供装置３は、ＣＰＵ３１、入力部３２、表示部３３、ＲＡＭ（Ｒａｎｄｏｍ　Ａｃｃｅｓｓ　Ｍｅｍｏｒｙ）３４、記憶部３５、通信制御部３６により構成され、各部はバス３７により相互にデータの送受信が可能なように接続されている。
【００３９】
ＣＰＵ３１は、記憶部３５に記憶されている各種プログラムを読み出してＲＡＭ３４に展開し、当該プログラムに従って各部を集中制御する。具体的には、記憶部３５からプログラム提供処理プログラムを読み出して後述するプログラム提供処理を実行し、その処理結果をＲＡＭ３４に格納するとともに、表示部３３に表示させる。そして、ＲＡＭ３４に格納した処理結果を記憶部３５内部の所定領域に保存させる。
【００４０】
入力部３２は、カーソルキー、数字入力キー、及び各種機能キー等を備えたキーボードを含み、このキーボードで押下されたキーに対応する押下信号をＣＰＵ３１に出力する。なお、入力部３２は、必要に応じてマウス、タッチパネル等のポインティングディバイスや、その他の入力装置を備えることとしてもよい。
【００４１】
表示部３３は、ＬＣＤ（Ｌｉｑｕｉｄ　Ｃｒｙｓｔａｌ　Ｄｉｓｐｌａｙ）やＣＲＴ（Ｃａｔｈｏｄｅ　Ｒａｙ　Ｔｕｂｅ）等により構成され、ＣＰＵ３１から入力される表示信号の指示に従ってＣＰＵ１１による音声データ提供処理の処理結果のデータ等を画面上に表示する。
【００４２】
ＲＡＭ３４は、ＣＰＵ３１により実行される各種プログラムやこれら各種プログラムによって処理されたデータ等を一時的に記憶するワークエリアを形成する。
【００４３】
記憶部３５は、プログラムやデータ等が予め記憶されている記録媒体（図示省略）を有しており、この記録媒体は、磁気的、光学的記録媒体、若しくは半導体メモリで構成されている。この記録媒体は、記憶部３５に固定的に設けられるもの、若しくは着脱自在に装着するものであり、この記録媒体には、システムプログラム、当該システムに対応する各種処理プログラム、及び各種処理プログラムで処理されたデータ等を記憶する。上記各種プログラムは、コンピュータが読み取り可能な形態で格納され、ＣＰＵ３１は当該プログラムコードに従った動作を逐次実行する。
【００４４】
記憶部３５は、複数種類のプログラムのデータ、プログラム選択画面の表示用データ、ＣＰＵ３１によるプログラム提供処理において利用されるプログラム提供処理プログラム、携帯電話機１に送信したプログラムのデータの送信日時や送信内容の履歴データ等を記憶する。
【００４５】
通信制御部３６は、通信ネットサークＮに接続可能なインターフェイスであり、モデムまたはターミナルアダプタ等によって構成される。通信制御部３６は、通信ネットサークＮを介して携帯電話機１からプログラムのダウンロード要求データを受信したり、携帯電話機１から要求されたプログラムのデータをＣＰＵ１１の指示に従って携帯電話機１に送信する。
【００４６】
ここで、ＣＰＵ３１により実行されるプログラム提供処理について説明する。ＣＰＵ３１は、プログラム提供処理において、携帯電話機１により撮影制御プログラムダウンロードサイトへのアクセスがあると、通信制御部３６によりプログラム選択画面（図６参照）の表示用データを携帯電話機１に送信する。その後、ＣＰＵ３１は、携帯電話機１から撮影制御プログラムの名称のデータとダウンロード要求データを受信すると、要求された撮影制御プログラムを記憶部３５から読み出して、通信制御部３６により携帯電話機１に送信する。
【００４７】
以下、図９〜図１１を参照して、携帯電話機１のＣＰＵ１１及び情報提供装置３のＣＰＵ３１の動作を説明する。
【００４８】
＜ＣＰＵ１１の動作＞
図９は、ＣＰＵ１１による撮影制御プログラム取得処理を示すフローチャートである。図９に示す撮影制御プログラム取得処理において、ＣＰＵ１１はメイン画面で「ウェブ」ボタン４３が押下されたか否かを判別し（ステップＳ１）、押下されなければ（ステップＳ１；ＮＯ）、待機を続け、押下されると（ステップＳ１；ＹＥＳ）、コンテンツ選択画面を表示部１３に表示させる（ステップＳ２）。
【００４９】
次いで、ＣＰＵ１１は、コンテンツ選択画面で「撮影制御プログラムをダウンロード」ボタン５２が押下されたか否かを判別し（ステップＳ３）、押下されなければ（ステップＳ３；ＮＯ）、待機を続け、押下されると（ステップＳ３；ＹＥＳ）、記憶部１５に記憶されたＵＲＬの撮影制御プログラムダウンロードサイトに接続し、プログラム選択画面の表示用データを情報提供装置３から受信して表示部１３に表示させる（ステップＳ４）。
【００５０】
次に、ＣＰＵ１１は、プログラム選択画面の「ダウンロード」ボタン６２が押下されたか否かを判別し（ステップＳ５）、押下されなければ（ステップＳ５；ＮＯ）、待機を続け、押下されると（ステップＳ５；ＹＥＳ）、プログラム選択欄６１で選択された撮影制御プログラムの名称のデータとダウンロード要求データとを無線通信部１４により情報提供装置３に送信する（ステップＳ６）。次いで、ＣＰＵ１１は、無線通信部１４により情報提供装置３から要求した撮影制御プログラムのデータを受信し（ステップＳ７）、受信したデータと同じ名称のプログラムが記憶部１５に既存であるか否かを判別する（ステップＳ８）。
【００５１】
ＣＰＵ１１は、ステップＳ８において、情報提供装置３から受信したデータと同一名称のプログラムが記憶部１５に既存でなければ（ステップＳ８；ＮＯ）、受信した撮影制御プログラムのデータを記憶部１５に記憶させ（ステップＳ９）、ステップＳ１７に移行する。一方、受信したデータと同一名称のプログラムが記憶部１５に既存である場合には（ステップＳ８；ＹＥＳ）、ＣＰＵ１１は表示部１３に確認画面を表示させる（ステップＳ１０）。
【００５２】
続いて、ＣＰＵ１１は、確認画面において「上書き保存」ボタン７１が押下されたか否かを判別し（ステップＳ１１）、押下されると（ステップＳ１１；ＹＥＳ）、記憶部１５に記憶された同一名称のプログラムを情報提供装置３から受信した撮影制御プログラムにより上書き保存し（ステップＳ１２）、ステップＳ１７に移行する。一方、ＣＰＵ１１は、確認画面において「上書き保存」ボタン７１が押下されないと（ステップＳ１１；ＮＯ）、「別名保存」ボタン７２が押下されたか否かを判別する（ステップＳ１３）。
【００５３】
ＣＰＵ１１は、ステップＳ１３において「別名保存」ボタン７２が押下されなければ（ステップＳ１３；ＮＯ）、ステップＳ１１に戻る。一方、「別名保存」ボタン７２が押下されると（ステップＳ１３；ＹＥＳ）、表示部１３に別名保存画面を表示させる（ステップＳ１４）。
【００５４】
続いて、ＣＰＵ１１は、別名保存画面において「保存」ボタン８２が押下されたか否かを判別し（ステップＳ１５）、押下されなければ（ステップＳ１５；ＮＯ）、待機を続け、押下されると（ステップＳ１５；ＹＥＳ）、情報提供装置３から受信した撮影制御プログラムのデータを別名保存画面のプロブラム名入力欄８１に入力された名称で記憶部１５に記憶させる（ステップＳ１６）。そして、ＣＰＵ１１は、表示部１３にメイン画面を表示させ（ステップＳ１７）、撮影制御プログラム取得処理を終了する。
【００５５】
図１０は、ＣＰＵ１１により実行される撮影部制御処理を示すフローチャートである。図１０に示す撮影部制御処理において、ＣＰＵ１１はメイン画面で「カメラ」ボタン４４が押下されたか否かを判別し（ステップＳ５１）、押下されなければ（ステップＳ５１；ＮＯ）、待機を続け、押下されると（ステップＳ５１；ＹＥＳ）、入力部１２のシャッタキーが押下されたか否かを更に判別する（ステップＳ５２）。
【００５６】
ＣＰＵ１１は、ステップＳ５２において入力部１２のシャッタキーが押下されなければ（ステップＳ５２；ＮＯ）、待機を続け、シャッタキーが押下されると（ステップＳ５２；ＹＥＳ）、記憶部１５に記憶された撮影制御プログラムを読み出してＲＡＭ１３に展開し、展開したプログラムを利用して撮影部１７を制御し、撮影を実行させ（ステップＳ５３）、撮影部制御処理を終了する。
【００５７】
＜ＣＰＵ３１の動作＞
図１１は、ＣＰＵ３１により実行されるプログラム提供処理を示すフローチャートである。図１１に示すプログラム提供処理において、ＣＰＵ３１は携帯電話機１による撮影制御プログラムダウンロードサイトへのアクセスの有無を判別し（ステップＳ１０１）、アクセスがなければ（ステップＳ１０１；ＮＯ）、待機を続け、アクセスがあると（ステップＳ１０１；ＹＥＳ）、プログラム選択画面の表示用データを記憶部３５から読み出して通信制御部３６により携帯電話機１に送信する（ステップＳ１０２）。
【００５８】
次に、ＣＰＵ３１は、通信制御部３６により携帯電話機１から撮影制御プログラムの名称のデータとダウンロード要求データとを受信したか否かを判別し（ステップＳ１０３）、受信しなければ（ステップＳ１０３；ＮＯ）、待機を続け、受信すると（ステップＳ１０３；ＹＥＳ）、受信した名称の撮影制御プログラムを記憶部３５から読み出し、通信制御部３６により携帯電話機１に送信して（ステップＳ１０４）、プログラム提供処理を終了する。
【００５９】
以上のように、情報授受システム１００において、携帯電話機１のＣＰＵ１１は、無線通信部１４により情報提供装置３から撮影制御プログラムのデータを受信して、記憶部１５に記憶させる。また、ＣＰＵ１１は、メイン画面で「カメラ」ボタン４４が押下され、入力部１２のシャッタキーが押下されると、記憶部１５から撮影制御プログラムを読み出して撮影部１７を制御し、被写体を撮影させる。また、情報提供装置３のＣＰＵ３１は、携帯電話機１により要求された撮影制御プログラムを記憶部３５から読み出して、通信制御部３６により携帯電話機１に送信する。
【００６０】
したがって、携帯電話機１は情報提供装置３から撮影制御プログラムをダウンロードして利用可能できるため、携帯電話機１の撮影機能を改良したりユーザの要求に応じて変更することができ、ユーザの満足度の向上を図ることができる。
【００６１】
なお、上記実施の形態における記述内容は、本発明に係る情報授受システム１００の好適な一例であり、これに限定されるものではない。例えば、情報提供装置３に記憶された携帯電話機１への撮影制御プログラムのダウンロード履歴のデータに基づいて、情報提供装置３のＣＰＵ３１が撮影制御プログラムのダウンロードサービスの利用料金を算出することとしてもよい。
【００６２】
また、例えば、上記実施の形態における携帯電話機１に、ストロボ光を発光するストロボ部を追加し、撮影部１７だけでなくストロボ部の動作も制御する撮影制御プログラムを情報提供装置３が提供し、携帯電話機１が利用することとしてもよい。
【００６３】
その他、情報授受システム１００を構成する各装置、又は各装置の細部構成及び細部動作に関しても、本発明の趣旨を逸脱することのない範囲で適宜変更可能である。
【００６４】
【発明の効果】
請求項１又は２記載の発明によれば、撮像部を備えた携帯電話機において、撮影機能を改良したりユーザの要求に応じて変更することができ、ユーザの満足度の向上を図ることが可能である。
【図面の簡単な説明】
【図１】本発明を適用した一実施の形態による情報授受システム１００の全体構成を示す図である。
【図２】図１の携帯電話機１の機能的構成を示すブロック図である。
【図３】図１の情報提供装置３の機能的構成を示すブロック図である。
【図４】図１の表示部１３に表示されるメイン画面の一表示例を示す図である。
【図５】図１の表示部１３に表示されるコンテンツ選択画面の一表示例を示す図である。
【図６】図１の表示部１３に表示されるプログラム選択画面の一表示例を示す図である。
【図７】図１の表示部１３に表示される確認画面の一表示例を示す図である。
【図８】図１の表示部１３に表示される別名保存画面の一表示例を示す図である。
【図９】図２のＣＰＵ１１により実行される撮影制御プログラム取得処理を示すフローチャートである。
【図１０】図２のＣＰＵ１１により実行される撮影部制御処理を示すフローチャートである。
【図１１】図３のＣＰＵ３１により実行されるプログラム提供処理を示すフローチャートである。
【符号の説明】
１　携帯電話機
２　無線基地局
３　情報提供装置
１１，３１　制御部
１２，３２　入力部
１３，３３　表示部
１４　無線通信部
１５，３５　記憶部
１６　送受話部
１７　撮影部
１８　Ｉ／Ｆ
１９，３７　バス
３４　ＲＡＭ
３６　通信制御部
１００　情報授受システム
１４１　アンテナ
Ｎ　通信ネットワーク
【図１】
2004147076.tif 000003
【図２】
2004147076.tif 000004
【図３】
2004147076.tif 000005
【図４】
2004147076.tif 000006
【図５】
2004147076.tif 000007
【図６】
2004147076.tif 000008
【図７】
2004147076.tif 000009
【図８】
2004147076.tif 000010
【図９】
2004147076.tif 000011
【図１０】
2004147076.tif 000012
【図１１】
2004147076.tif 000013